(57)【要約】  システムは、複数のリードコンピュータと、複数の演奏者ワークステーションと、音声信号を取り込み、音声信号を送信可能な形に変換する複数の音声受信機および送信機であって、少なくとも各一つの音声受信機および送信機は各演奏者と関連付けられる複数の音声受信機および送信機と、映像を取り込んで、映像を送信可能な形に変換する複数のビデオ映像受信機および送信機であって、少なくとも各一つのビデオ映像受信機および送信機は各演奏者と関連付けられる、複数のビデオ映像受信機および送信機と、音声およびビデオ映像の受信機および送信機からの信号を受け取り、処理する記憶装置およびプロセッサと、各々の音声受信機およびビデオ映像受信機の出力のための出力装置を備える。
2014529384.tif 000002
【特許請求の範囲】
【請求項１】
複数のリードコンピュータと、
複数の奏者ワークステーションと、
音声信号を取り込み、該音声信号を送信可能な形に変換する複数の受信機および送信機であって、少なくとも各一つの音声受信機および送信機は各奏者と関連付けられる、複数の受信機および送信機と、
前記音声受信機および送信機からの信号を受け取り処理する記憶装置およびプロセッサと、
各々の前記音声受信機およびビデオ映像受信機の出力を行う出力装置と、を備えるシステム。
【請求項２】
映像を取り込み、該映像を送信可能な形に変換する複数のビデオ映像受信機および送信機を備え、
少なくとも各一つのビデオ映像受信機および送信機は各奏者と関連付けられる、請求項１に記載のシステム。
【請求項３】
前記送信可能な音声信号を保存する記録装置と、
前記送信可能なビデオ映像を保存する記憶装置と、を更に備える請求項１に記載のシステム。
【請求項４】
表示装置に連結されるマイクロプロセッサを更に含む、請求項３に記載のシステム。
【請求項５】
前記送信可能な音声信号の間で再生用の選択を行う手段と、前記送信可能な映像の間で再生用の選択を行う手段は、グラフィカル・ユーザ・インタフェースを有する、請求項４に記載のシステム。
【請求項６】
前記複数の奏者は、弦楽器奏者、木管楽器奏者、金管楽器奏者、打楽器奏者、歌手、または、それらの組合せからなる群から選択される、請求項１に記載のシステム。
【請求項７】
前記弦楽器奏者は、バイオリン奏者、ヴィオラ奏者、ヴィオル奏者、チェロ奏者、コントラバス奏者、リュート奏者、ツィター奏者、ハープ奏者からなる群から選択される、請求項６に記載のシステム。
【請求項８】
前記金管楽器奏者は、トランペット奏者、コルネット奏者、トロンボーン奏者、チューバ奏者、ホルン奏者、バリトン奏者、フリューゲルホルン奏者からなる群から選択される、請求項６に記載のシステム。
【請求項９】
前記木管楽器奏者は、フルート奏者、トランスヴェルスフルート奏者、オーボエ奏者、イングリッシュホルン奏者、クラリネット奏者、バセットホルン奏者、バスーン奏者、サクソフォン奏者からなる群から選択される、請求項６に記載のシステム。
【請求項１０】
前記打楽器奏者は、ドラム奏者、シンバル奏者、カスタネット奏者、オーケストラベル奏者、トライアングル奏者、ウッドブロック奏者、タンバリン奏者、マラカス奏者、ギロ奏者、ティンパニ奏者、木琴奏者、鉄琴奏者、マリンバ奏者、マリンバ−木琴奏者、チャイム奏者、ピアノ奏者、ハープシコード奏者、オルガン奏者からなる群から選択される、請求項６に記載のシステム。
【請求項１１】
前記歌手は、ソプラノ歌手、メゾソプラノ歌手奏者、コントラルト歌手、カウンターテノール歌手、テノール歌手、バリトン歌手、バス歌手、ジャズスタイルの歌手、ロックスタイルの歌手、ポップスタイルの歌手、ブルーススタイルの歌手、カントリースタイルの歌手、民俗音楽スタイルの歌手からなる群から選択される、請求項６に記載のシステム。
【請求項１２】
前記複数のリードコンピュータは、指揮者コンピュータ、主席第１バイオリン・コンピュータ、主席第２バイオリン・コンピュータ、主席チェロ・コンピュータ、主席コントラバス・コンピュータ、主席ヴィオラ・コンピュータ、主席フルート・コンピュータ、主席オーボエ・コンピュータ、主席クラリネット・コンピュータ、主席バスーン・コンピュータ、主席ホルン・コンピュータ、主席トランペット・コンピュータ、主席トロンボーン・コンピュータ、主席チューバ・コンピュータ、主席ピアノ・コンピュータ、主席ハープ・コンピュータ、主席ドラム・コンピュータ、主席リュート・コンピュータ、主席歌手・コンピュータ、主席ティンパニ・コンピュータからなる群から選択される、請求項１に記載のシステム。
【請求項１３】
前記複数の奏者ワークステーションは、第１バイオリン奏者ワークステーション、第２バイオリン奏者ワークステーション、ヴィオラ奏者ワークステーション、チェロ奏者ワークステーション、コントラバス奏者ワークステーション、リュート奏者ワークステーション、ツィター奏者ワークステーション、ハープ奏者ワークステーション、フルート奏者ワークステーション、オーボエ奏者ワークステーション、イングリッシュホルン奏者ワークステーション、クラリネット奏者ワークステーション、バセットホルン奏者ワークステーション、バスーン奏者ワークステーション、サクソフォン奏者ワークステーション、トランペット奏者ワークステーション、コルネット奏者ワークステーション、トロンボーン奏者ワークステーション、チューバ奏者ワークステーション、コントラバスチューバ奏者ワークステーション、ホルン奏者ワークステーション、ドラム奏者ワークステーション、シンバル奏者ワークステーション、カスタネット奏者ワークステーション、ゴング奏者ワークステーション、オーケストラベル奏者ワークステーション、タンバリン奏者ワークステーション、マラカス奏者ワークステーション、ギロ奏者ワークステーション、ティンパニ奏者ワークステーション、木琴奏者ワークステーション、鉄琴奏者ワークステーション、マリンバ奏者ワークステーション、マリンバ−木琴奏者ワークステーション、チャイム奏者ワークステーション、ピアノ奏者ワークステーション、ハープシコード奏者ワークステーション、オルガン奏者ワークステーション、歌手ワークステーション、または、それらの組み合わせからなる群から選択される、請求項１に記載のシステム。
【請求項１４】
前記複数のリードコンピュータおよび前記複数の奏者ワークステーションと通信するための手段を更に含む、請求項１に記載のシステム。
【請求項１５】
前記複数のリードコンピュータは、少なくとも一つの補助コンピュータを有する、請求項１に記載のシステム。
【請求項１６】
前記補助コンピュータは、補助第１バイオリン・コンピュータ、補助主席第２バイオリン・コンピュータ、補助主席チェロ・コンピュータ、補助コントラバス・コンピュータ、補助主席ヴィオラ・コンピュータ、補助フルート・コンピュータ、補助主席オーボエ・コンピュータ、補助主席クラリネット・コンピュータ、補助主席バスーン・コンピュータ、補助主席ホルン・コンピュータ、補助主席トランペット・コンピュータ、補助トロンボーン・コンピュータ、補助チューバ・コンピュータ、補助主席ピアノ・コンピュータ、補助主席ハープ・コンピュータ、補助ドラム・コンピュータ、補助主席ティンパニ・コンピュータ、補助主席リュートコンピュータ、補助主席歌手コンピュータ、または、それらの組合せからなる群から選択される、請求項１５に記載のシステム。
【発明の詳細な説明】
【技術分野】
【０００１】
本発明は概して音楽団体をビデオ録画および録音するためのシステムに関する。
【背景技術】
【０００２】
Calelloの米国特許第６，５０６，９６７号は、予め録音された音楽的なアレンジを教授するための仕組みおよび方法を提供している。予め録音された音楽のトラックは、音楽の演奏におけるソプラノパート、アルトパート、バリトンパートやバスパートなどの特定の音楽のパートの音量を強調し、これにより歌手の音楽的トレーニングを提供する。デジタルペン、英数字キーボード、マウス、音楽キーボードの少なくとも一つを用いて楽曲の構成を編集し、編集した楽曲の構成を演奏者に表示するための楽曲システム及び方法が開発されてきた。演奏者ステーションは、オーケストラ配列において作曲者ステーションに接続されていてもよい。手書き認識システムにより、デジタルペンの動きを処理して、楽曲における一つまたは複数の手書きの編集を特定するようにしてもよい。手書きの編集はデジタル表記フォーマットに変換しても良く、作曲者ステーションから一つまたは複数の演奏者ステーションへ送られてもよい。
【０００３】
Sitrickの米国特許第６，０８４，１６８号は、楽曲通信のシステム、アーキテクチャおよび方法を提供する。譜面台の形のシステムコントローラを、ピッチ（音の高さ）、コード（和音）、テンポ、キー（長調／短調）を含む楽曲の構成の編集に用いてもよい。個々の音楽ワークステーションは、譜面台（例えば演奏者用スタンドまたは指揮者用スタンド）の形であってもよい。個々の音楽ワークステーションは、ネットワークによりシステムコントローラにリンクされていてもよい。楽曲の編集された構成は、システムコントローラから、選択した演奏者の演奏者用スタンドまで送られてもよく、選択した演奏者の演奏者用スタンドに表示されてもよい。
【発明の概要】
【発明が解決しようとする課題】
【０００４】
音楽団体における個々の演奏者に同時に焦点を当て、音楽団体における個々の演奏者の音楽の演奏を録音し、音楽の演奏のデータベースを編集し、ユーザーが個々の演奏者の演奏または演奏者の組合せの演奏を選んでオリジナルの音源と併せて再生できるようにする、音楽団体をビデオ録画するシステムに対する需要がある。
【課題を解決するための手段】
【０００５】
システムは、複数のリードコンピュータと、複数の演奏者ワークステーションと、音声信号を取り込み、音声信号を送信可能な形に変換する複数の音声受信機および送信機であって、少なくとも各一つの音声受信機および送信機が各演奏者と関連付けられる複数の音声受信機および送信機と、映像を取り込んで、映像を送信可能な形に変える複数のビデオ映像受信機および送信機であって、少なくとも各一つのビデオ映像受信機および送信機が各演奏者と関連付けられる、複数のビデオ映像受信機および送信機と、信号を受け取り、処理し、音声受信機および送信機とビデオ映像受信機および送信機からの、背景音としての他の演奏者による音の歪のフィルタリングを行う記憶装置およびプロセッサと、各々の音声受信機およびビデオ映像受信機の出力のための出力装置と、を備える。
【図面の簡単な説明】
【０００６】
【図１】図１は、指揮者コンピュータを含む複数のリードコンピュータを例示する。
【図２】図２は、コンサートマスターがオーケストラを指揮する場合の複数のリードコンピュータの例を提供する。
【図３】図３は、リードコンピュータのブロック図を例示する。
【図４】図４は、指揮者コンピュータを他のリードコンピュータにリンクする例を示す。
【図５】図５は、指揮者コンピュータ１０１が他のリードコンピュータにリンクされる例を示す。
【図６】図６は、音楽団体が指揮者無しで演奏する場合の、主席第１バイオリン・コンピュータを他のリードコンピュータにリンクする例を示す。
【図７】図７は、主席オーボエ・コンピュータをリードコンピュータにリンクする例を示す。
【図８】図８は、主席トランペット・コンピュータをリードコンピュータ（例えば指揮者コンピュータ、主席ホルン・コンピュータ、主席トロンボーン・コンピュータ、主席チューバ・コンピュータ）にリンクする例を提供する。
【図９】図９は、演奏者ワークステーションの例を例示する。
【図１０】図１０は、演奏者ワークステーションのブロック図を例示する。
【図１１】図１１は、ヴィオラ奏者ワークステーションにリンクされる主席ヴィオラ・コンピュータを表す。
【図１２】図１２は、複数のチェロ奏者ワークステーションを主席チェロ・コンピュータにリンクする例を示す。
【図１３】図１３は、主席クラリネット・コンピュータをネットワーク９００を介して複数のクラリネット奏者ワークステーションにリンクする例を提供する。
【図１４】図１４は、複数のフルート奏者ワークステーションにリンクされる主席フルート・コンピュータの例を提供する。
【図１５】図１５は、複数の弦楽器奏者ワークステーションに対する主席第１バイオリン・コンピュータの図である。
【図１６】図１６は、主席オーボエ・コンピュータをフルート奏者ワークステーション、オーボエ奏者ワークステーション、イングリッシュホルン奏者ワークステーション、クラリネット奏者ワークステーション、バセットホルン奏者ワークステーション、バスーン奏者ワークステーション、サクソフォン奏者ワークステーションにリンクする例を示す。
【図１７】図１７は、指揮者コンピュータを主席第１バイオリン・コンピュータ、主席第２バイオリン・コンピュータ、複数の第１バイオリン奏者ワークステーションおよび複数の第２バイオリン・ワークステーションにリンクする例を示す。
【図１８】図１８は、他のリードコンピュータにリンクされるゲスト指揮者コンピュータの例を示す。
【図１９】図１９は、複数の第１バイオリン奏者ワークステーションおよび複数の第２バイオリン奏者ワークステーションにリンクされる主席第１バイオリン・コンピュータの例を提供する。
【図２０】図２０は、主席第２バイオリン・コンピュータを指揮者コンピュータ、主席第１バイオリン・コンピュータ、複数の第１バイオリン奏者ワークステーション、および、複数の第２バイオリン奏者ワークステーションにリンクする例を表す。
【図２１】図２１は、複数の打楽器奏者ワークステーションにリンクされる主席ティンパニ・コンピュータを表す。
【図２２】図２２は、複数の金管楽器奏者ワークステーションにリンクされる主席トランペット・コンピュータを例示する。
【図２３】図２３は、主席トロンボーン・コンピュータをトロンボーン奏者ワークステーションとチューバ奏者ワークステーションにリンクする例を表す。
【図２４】図２４は、音楽団体をビデオ録画するためのシステムの好ましい実施例を示す。
【図２５】図２５は、複数のリードコンピュータと、複数の演奏者ワークステーションと、音声信号を取り込み、音声信号を送信可能な形に変換する複数の音声受信機および送信機であって、少なくとも各一つの音声受信機および送信機が各演奏者と関連付けられる、複数の音声受信機および送信機と、映像を取り込んで、映像を送信可能な形に変える複数のビデオ映像受信機および送信機であって、少なくとも各一つのビデオ映像受信機および送信機は、各演奏者と関連付けられる、複数のビデオ映像受信機および送信機と、信号を受け取り、処理し、音声受信機および送信機とビデオ映像受信機および送信機からの、背景音としての他の演奏者による音の歪のフィルタリングを行う記憶装置およびプロセッサと、各々の音声受信機およびビデオ映像受信機の出力のための出力装置と、を備えるシステムを例示する。
【発明を実施するための形態】
【０００７】
本発明を、図面を参照して記述する。本発明の様々な実施形態は、当業者にとって明らかである。本発明は、複数のリードコンピュータと、複数の演奏者ワークステーションと、音声信号を取り込み、音声信号を送信可能な形に変換する複数の音声受信機および送信機であって、少なくとも各一つの音声受信機および送信機が各演奏者と関連付けられる複数の音声受信機および送信機と、映像を取り込んで、映像を送信可能な形に変換する複数のビデオ映像受信機および送信機であって、少なくとも各一つのビデオ映像受信機および送信機が各演奏者と関連付けられる、複数のビデオ映像受信機および送信機と、信号を受け取り、処理し、音声受信機および送信機とビデオ映像受信機および送信機からの、背景音としての他の演奏者による音の歪のフィルタリングを行う記憶装置およびプロセッサと、各々の音声受信機およびビデオ映像受信機の出力のための出力装置と、を備えるシステムである。
【０００８】
システムは、演奏者らが演奏する間、音楽団体内の個々の演奏者の音声やビデオ映像を記録するのに用いてもよい。音楽団体は、ロックバンド、ジャズバンド、オーケストラ、弦楽合奏、吹奏楽アンサンブル、声楽アンサンブル、クワイア、アカペラグループ、マーチングバンド、リズムアンドブルースアンサンブル、教会アンサンブル、民族調アンサンブル、パーカッションアンサンブル、室内楽アンサンブル、ブラスアンサンブル、ブルーグラスバンド、カントリーバンド、ヒップホップバンド、ラップグループ、メタルグループ、パンクグループ、スインググループ、ファンクグループ、フュージョングループ、テクノグループ、ミリタリーアンサンブルなど、楽器のどのようなアンサンブルから成るものであってもよい。音楽団体または個々の演奏者の演奏を再生する間、個々の演奏者の演奏を見たり聞いたりしてもよく、あるいは、所望により、別々の演奏者の音声信号やビデオ映像信号を組み合わせてもよい。所望により、音楽団体は記録された様々な楽器をミックスしたり適合させたりしてもよい。音楽団体は、所望のバリエーションを決定するために、いかなるときでも、記録された楽器を加えたり、除外したりしてもよい。音楽団体は、全ての楽器を所定の一時期に記録することを要求されない。システムは、必要に応じて、時間をかけて楽器を追加することを可能とする。
【０００９】
システムは、一つまたは複数のリードコンピュータを含むものとしてもよい。図１は、指揮者コンピュータ１０１、主席第１バイオリン・コンピュータ１０２（すなわち、弦楽器セクションリーダー・コンピュータ、コンサートマスター・コンピュータ）、主席第２バイオリン・コンピュータ１０３、主席チェロ・コンピュータ１０４、主席コントラバス・コンピュータ１０５、主席ヴィオラ・コンピュータ１０６、主席フルート・コンピュータ１０７、主席オーボエ・コンピュータ１０８（すなわち、木管楽器セクションリーダー・コンピュータ）、主席クラリネット・コンピュータ１０９、主席バスーン・コンピュータ１１０、主席ホルン・コンピュータ１１１、主席トランペット・コンピュータ１１２（すなわち、金管楽器セクションリーダー・コンピュータ）、主席トロンボーン・コンピュータ１１３（すなわち、低音金管楽器セクションリーダー・コンピュータ）、主席チューバ・コンピュータ１１４、主席ピアノ・コンピュータ１１５、主席ハープ・コンピュータ１１６、主席ドラム・コンピュータ１１７、主席リュート・コンピュータ（すなわち、リュート奏者セクションリーダー・コンピュータ）、主席歌手・コンピュータ（すなわち、歌手セクションリーダー）、主席ティンパニ・コンピュータ１１８（すなわち、打楽器セクションリーダー・コンピュータ）を含む複数のリードコンピュータを例示するが、リードコンピュータはこれらに限定されない。あるいは、各々の音声およびビデオ映像受信機は、一つのコンピュータに取り付けられてもよい。明細書を通して、コンピュータが別々のプロセッサと記憶装置または一つのプロセッサと記憶装置を示すものとしてよいことは理解されるべきである。
【００１０】
音楽団体は、指揮者無しのレパートリーを演奏するものとしてもよい。音楽団体が指揮者を含むとき、主席第１バイオリンは弦楽器セクションリーダーおよびコンサートマスター（すなわち、音楽団体のリーダー）としての働きをしてもよい。しかしながら、主席第１バイオリンは、指揮者に従う。図２を参照し、主席第１バイオリン・コンピュータ１０２（すなわち、弦楽器セクションリーダー・コンピュータとコンサートマスター・コンピュータ）、または他のいずれかのセクションリーダー・コンピュータを、指揮者コンピュータ１０１の代わりに用いてもよい。図２は、主席第１バイオリン・コンピュータ１０２（すなわち、弦楽器セクションリーダー・コンピュータ、コンサートマスター・コンピュータ）、主席第２バイオリン・コンピュータ１０３、主席チェロ・コンピュータ１０４、主席コントラバス・コンピュータ１０５、主席ヴィオラ・コンピュータ１０６、主席フルート・コンピュータ１０７、主席オーボエ・コンピュータ１０８（すなわち、木管楽器セクションリーダー・コンピュータ）、主席クラリネット・コンピュータ１０９、主席バスーン・コンピュータ１１０、主席ホルン・コンピュータ１１１、主席トランペット・コンピュータ１１２（すなわち、金管楽器セクションリーダー・コンピュータ）、主席トロンボーン・コンピュータ１１３（すなわち、低音金管楽器セクションリーダー・コンピュータ）、主席チューバ・コンピュータ１１４、主席ピアノ・コンピュータ１１５、主席ハープ・コンピュータ１１６、主席ドラム・コンピュータ１１７、主席義リュート・コンピュータ（すなわち、リュート奏者、ギター奏者セクションリーダー・コンピュータ）、主席歌手・コンピュータ（すなわち、歌手セクションリーダー）主席ティンパニ・コンピュータ１１８（すなわち、打楽器セクションリーダー・コンピュータ）などの複数のリードコンピュータの例を示す。
【００１１】
図３は、リードコンピュータ（すなわち、主席ドラム・コンピュータ、主席バスーン・コンピュータ、主席ゲストコンピュータ）のブロック図であり、リードコンピュータ・プロセッサ１１０１（すなわち、マイクロプロセッサ）、リードコンピュータ・ネットワーク・インターフェース１１０２、リードコンピュータ・メモリ１１０３、入力装置１１０４（すなわち、ポインター、英数字キーボード、スタイラス（鉄筆）、マウス、カーソル、トラックボール、タッチスクリーン、タッチパネル、タッチパッド、感圧パッド、ライトペン、その他のグラフィカル・ユーザ・インタフェース（ＧＵＩ）またはそれらの組合せ）を含む。リードコンピュータ・プロセッサ１１０１は、リード・メモリ１１０３に接続されている。リードコンピュータ・プロセッサ１１０１は、入力装置１１０４にも接続されている。リードコンピュータ・ネットワーク・インターフェース１１０２は、他のリードコンピュータおよび奏者ワークステーションと通信するための手段である。リードコンピュータは、リードコンピュータ・ネットワーク・インターフェース１１０２を介して、他のリードコンピュータや奏者ワークステーションからデータを受け取る。リードコンピュータからも、リードコンピュータ・ネットワーク・インターフェース１１０２を介して、他のリードコンピュータや奏者ワークステーションにデータを送信する。音楽団体のリーダーと楽曲の名前は、入力装置１１０４を用いて、対応するリードコンピュータ中に設定されるものとしてもよい。
【００１２】
複数のリードコンピュータは、ネットワーク（すなわち、ネットワークカード、電話線、コードレス電話線、ケーブルモデムや無線装置を介したインターネット、イントラネットまたはイーサネット（登録商標））によりリンクされてもよい。図４は、主席フルート・コンピュータ１０７、主席オーボエ・コンピュータ１０８、主席ホルン・コンピュータ１１１、主席チューバ・コンピュータ１１４、主席ピアノ・コンピュータ１１６、主席ティンパニ・コンピュータ１１８などの複数のリードコンピュータがネットワーク９００を介して接続される例を示す。
【００１３】
図５は、ネットワーク９００を介して指揮者コンピュータ１０１が、主席第１バイオリン・コンピュータ１０２（すなわち、弦楽器セクションリーダー・コンピュータ、コンサートマスター・コンピュータ）、主席第２バイオリン・コンピュータ１０３、主席チェロ・コンピュータ１０４、主席コントラバス・コンピュータ１０５、主席ヴィオラ・コンピュータ１０６、主席フルート・コンピュータ１０７、主席オーボエ・コンピュータ１０８（すなわち、木管楽器セクションリーダー・コンピュータ）、主席クラリネット・コンピュータ１０９、主席バスーン・コンピュータ１１０、主席ホルン・コンピュータ１１１、主席トランペット・コンピュータ１１２（すなわち、金管楽器セクションリーダー・コンピュータ）、主席トロンボーン・コンピュータ１１３（すなわち、低音金管楽器セクションリーダー・コンピュータ）、主席チューバ・コンピュータ１１４、主席ピアノ・コンピュータ１１５、主席ハープ・コンピュータ１１６、主席ドラム・コンピュータ１１７、主席リュート・コンピュータ（すなわち、リュート奏者セクションリーダー・コンピュータ）、主席歌手・コンピュータ（すなわち、歌手セクションリーダー・コンピュータ）、主席ティンパニ・コンピュータ１１８（すなわち、打楽器セクションリーダー・コンピュータ）等の他のリードコンピュータにリンクされる例を表す。あるいは、ゲスト指揮者コンピュータが、ネットワーク９００を介して他のリードコンピュータにリンクされるものとしてもよい。図５は、ネットワーク９００を介して指揮者コンピュータ１０１を他のリードコンピュータにリンクする例を表す。図６は、音楽団体が指揮者無しで演奏する場合において、主席第１バイオリン・コンピュータを他のリードコンピュータにリンクする例を提供する。
【００１４】
図７は、指揮者コンピュータ１０１、主席クラリネット・コンピュータ１０９、主席バスーン・コンピュータ１１０、主席イングリッシュホルン・コンピュータ１１９、主席バセットホルン・コンピュータ１２０、主席サクソフォン・コンピュータ１２１を含むリードコンピュータにネットワーク９００を介してリンクされる主席オーボエ・コンピュータの例を示す。
【００１５】
主席トランペット・コンピュータ１１２（すなわち、金管楽器セクションリーダー・コンピュータ）は、図８のように、指揮者コンピュータ１０１、主席ホルン・コンピュータ１１１、主席トロンボーン・コンピュータ１１３、主席チューバ・コンピュータ１１４等のリードコンピュータにネットワーク９００を介してリンクされるものとしてもよい。
【００１６】
複数の奏者ワークステーションは、弦楽器奏者ワークステーション、木管楽器奏者ワークステーション、金管楽器奏者ワークステーション、打楽器奏者ワークステーション、リュート奏者ワークステーション、歌手ワークステーション、または、それらの組合せを含むものとしてもよい。図９のように、奏者ワークステーションは例として第１バイオリン奏者ワークステーション２０１、第２バイオリン奏者ワークステーション２０２、ヴィオラ奏者ワークステーション２０３、チェロ奏者ワークステーション２０４、コントラバス奏者ワークステーション２０５、リュート奏者ワークステーション２０６、ツィター奏者ワークステーション２０７、ハープ奏者ワークステーション２０８、フルート奏者ワークステーション３０１、オーボエ奏者ワークステーション３０２、コルノアングレ奏者ワークステーション３０３（すなわち、イングリッシュホルン奏者ワークステーション）、クラリネット奏者ワークステーション３０４、バセットホルン奏者ワークステーション３０５、バスーン奏者ワークステーション３０６、サクソフォン奏者ワークステーション３０７、トランペット奏者ワークステーション４０１、コルネット奏者ワークステーション４０２、トロンボーン奏者ワークステーション４０３、チューバ奏者ワークステーション４０４、コントラバスチューバ奏者ワークステーション４０５、ホルン奏者ワークステーション４０６、ドラム奏者ワークステーション５０１、シンバル奏者ワークステーション５０２、カスタネット奏者ワークステーション５０３、ゴング奏者ワークステーション５０４、オーケストラベル奏者ワークステーション５０５、タンバリン奏者ワークステーション５０６、マラカス奏者ワークステーション５０７、ギロ奏者ワークステーション５０８、ティンパニ奏者ワークステーション５０９、木琴奏者ワークステーション５１０、鉄琴奏者ワークステーション５１１、マリンバ奏者ワークステーション５１２、マリンバ−木琴奏者ワークステーション５１３、チャイム奏者ワークステーション５１４、ピアノ奏者ワークステーション５１５、ハープシコード奏者ワークステーション５１６、オルガン奏者ワークステーション５１７を含むが、これらに限定されない。
【００１７】
図１０は、奏者ワークステーション（すなわち、第１バイオリン奏者ワークステーション、フルート奏者ワークステーション、トランペット奏者ワークステーション、リュート奏者ワークステーション、ドラム奏者ワークステーション、歌手ワークステーション）のブロック図を例示する。個々の奏者の名前（すなわち、ハリー・シュタインバッハ、ジュリア・ベーカー、ガートルード・テイラー）と、楽器のレパートリー（すなわち、コンチェルト、ソロ・コンチェルト、シンフォニー、ソナタ、作品、楽曲集）を、奏者ワークステーション入力装置１２０４を用いて、対応する奏者ワークステーションに入力してもよい。
【００１８】
各々の奏者ワークステーションは、音楽の生演奏の間、各々の奏者の演奏に焦点を合わせる。あるいは、一つのコンピュータが各々の奏者の音声とビデオ映像の受信機から入力データを受け取り、データを記録し保存するものとしてもよい。各々の奏者ワークステーションまたは一つのコンピュータは、他の奏者ワークステーションと背景音からの信号を減らすために、フィルター１２０５を含む。個々の奏者の演奏は、奏者ワークステーションビデオカメラ１２０８とコンピュータ支援設計ソフトウェアまたはコンピュータ支援製造ソフトウェアを用いてビデオ録画されるものとしてもよい。各々の奏者ワークステーションまたは一つのコンピュータは、一つまたは複数の奏者ワークステーション入力装置１２０４（すなわち、グラフィカル・ユーザ・インタフェース、タッチスクリーン、英数字キーボード、マウス、ラジオボタン）を有してもよい。奏者ワークステーション入力装置１２０４は奏者ワークステーション・プロセッサ１２０１にリンクされる。各々の奏者ワークステーションは、個々の奏者のためのマイクロフォン１２０７を含む。音声認識装置１２０６は、マイクロフォン１２０７からの入力を受け取る。ビデオ録画された個々の奏者の演奏は、対応する奏者ワークステーションの奏者ワークステーション・メモリ１２０３または一つのコンピュータの各々の部分に保存されてもよい。
【００１９】
ワークステーション・ディスプレイ画面１２０９は、少なくとも１人の個々の奏者のビデオ録画された演奏を表示する。例えば、ワークステーション・ディスプレイ画面１２０９は、液晶ディスプレイ（ＬＣＤ）の形でもよい。奏者ワークステーション・ディスプレイ画面のもう一つの例は、アクティブマトリックス液晶ディスプレイ（ＡＭＬＣＤ）である。奏者ワークステーション・ディスプレイ画面１２０９は、陰極線管（ＣＲＴ）の形でもよい。奏者ワークステーション・ディスプレイ画面１２０９のさらにもう一つの例は、プラズマ・ディスプレイ・パネル（ＰＤＰ）である。ディスプレイ画面は、デジタル光処理（ＤＬＰ）の形でもよい。さらにもう一つの可能性は、発光ダイオードディスプレイ（ＬＥＤ）である。奏者ワークステーション・ディスプレイ画面１２０９は、テレビ画面またはコンピュータ・モニターでもよい。携帯コンピュータ（ＨＨＣ）は、奏者ワークステーション・ディスプレイ画面１２０９の例を提供する。パーソナル携帯情報機器（ＰＤＡ）を奏者ワークステーション・ディスプレイ画面１２０９として用いてもよい。タブレットＰＣまたは携帯電話を奏者ワークステーション・ディスプレイ画面１２０９として用いてもよい。奏者ワークステーション１２０９の他の例は、が含むスクリーンを示すが、電解放出ディスプレイ（ＦＥＤ）やエレクトロ・ルミネッセント・ディスプレイ（ＥＬ）を含むが、これらに限られない。
【００２０】
奏者ワークステーションは、音楽団体の個々のメンバーのためのトレーニング・ツールの働きをしてもよい。その場合、個々のメンバーが、彼ら自身の音声やビデオ映像を観察できるようにしたり、音楽団体の他のメンバーからの音声やビデオ映像による合図を観察できるようにしても良い。奏者ワークステーションは、音楽団体メンバーが他の列の楽器と一緒に、間違いを特定したり、実験を行ったりするのを援助してもよい。
【００２１】
少なくとも１台のリードコンピュータは、複数の奏者ワークステーション（すなわち、一つまたは複数の弦楽器奏者ワークステーション、木管楽器奏者ワークステーション、打楽器奏者ワークステーション、金管楽器奏者ワークステーション、または、それらの組合せ）に対して、ネットワーク９００（すなわち、ネットワークカード、電話線、コードレス電話線、ケーブルモデム、無線装置を介したインターネット、イントラネット、イーサネット（登録商標））を介して接続されていてもよい。図９は、ネットワーク９００を用いて個々の奏者の複数の奏者ワークステーションにリンクされる指揮者コンピュータ１０１などのリードコンピュータを例示する。
【００２２】
図１１は、ネットワーク９００を用いて複数のヴィオラ奏者ワークステーション２０３ａ、２０３ｂ、２０３ｃ、２０３ｄ、２０３ｅにリンクされる主席ヴィオラ・コンピュータ１０６を表す。図１２において、主席チェロ・コンピュータ１０４は、ネットワーク９００を介して複数のチェロ奏者ワークステーション２０４ａ、２０４ｂ、２０４ｃ、２０４ｄ、２０４ｅにリンクされる。さらに、図１３は、主席クラリネット・コンピュータ１０９を、ネットワーク９００を介して複数のクラリネット奏者ワークステーション２０９ａ、２０９ｂ、２０９ｃ、２０９ｄ、２０９ｅにリンクする例を提供する。同様に、図１４は複数のフルート奏者ワークステーション２０７ａ、２０７ｂ、２０７ｃ、２０７ｄ、２０７ｅにリンクされる主席フルート・コンピュータ１０７の例を提供する。
【００２３】
図１５のように、主席第１バイオリン・コンピュータ１０２（すなわち、弦楽器セクションリーダー・コンピュータ）は複数の弦楽器奏者ワークステーションに連結されてもよい。複数の弦楽器奏者ワークステーションは、第１バイオリン奏者ワークステーション２０１、第２バイオリン奏者ワークステーション２０２、ヴィオラ奏者ワークステーション２０３、チェロ奏者ワークステーション２０４、コントラバス奏者ワークステーション２０５、リュート奏者ワークステーション２０６、ツィター奏者ワークステーション２０７、ハープ奏者ワークステーション２０８を含むが、これらに限定されるものではない。
【００２４】
主席オーボエ・コンピュータ（すなわち、木管楽器セクションリーダー・コンピュータ）は、フルート奏者ワークステーション、オーボエ奏者ワークステーション、イングリッシュホルン奏者ワークステーション、クラリネット奏者ワークステーション、バセットホルン奏者ワークステーション、バスーン奏者ワークステーション、サクソフォン奏者ワークステーションのいずれかを含む複数の木管楽器奏者ワークステーション等の複数の奏者ワークステーションにリンクされてもよい。図１６は、主席オーボエ・コンピュータ１０８を、フルート奏者ワークステーション３０１、オーボエ奏者ワークステーション３０２、イングリッシュホルン奏者ワークステーション３０３、クラリネット奏者ワークステーション３０４、バセットホルン奏者ワークステーション３０５、バスーン奏者ワークステーション３０６や、サクソフォン奏者ワークステーション３０７にリンクする例を示す。
【００２５】
複数のリードコンピュータと複数の奏者ワークステーションは、ネットワーク（すなわち、ネットワークカード、電話線、コードレス電話線、ケーブルモデム、無線装置を介したインターネット、イントラネット、イーサネット（登録商標））を使用してリンクされてもよい。図１７は、主席第１バイオリン・コンピュータ、主席第２バイオリン・コンピュータ、複数の第１バイオリン奏者ワークステーション、および、複数の第２バイオリン・ワークステーションとリンクされる指揮者コンピュータの例を示す。
【００２６】
図１８は、他のリードコンピュータ、すなわち、主席チェロ・コンピュータ１０４、主席コントラバス・コンピュータ１０５、主席ヴィオラ・コンピュータ１０６、主席フルート・コンピュータ１０７、主席オーボエ・コンピュータ１０８、主席クラリネット・コンピュータ１０９、主席バスーン・コンピュータ１１０、主席ホルン・コンピュータ１１１、主席トランペット・コンピュータ１１２、主席トロンボーン・コンピュータ１１３、主席チューバ・コンピュータ１１４、主席ピアノ・コンピュータ１１５、主席ハープ・コンピュータ１１６、主席ドラム・コンピュータ１１７、主席ティンパニ・コンピュータ１１８、および、複数の奏者ワークステーション（すなわち、一つまたは複数のリュート奏者ワークステーション２０６、一つまたは複数のチャイム奏者ワークステーション５１４）、とリンクされるゲスト指揮者コンピュータ１２２の例を例示する。
【００２７】
図１９は、複数の第１バイオリン奏者ワークステーション２０１ａ、２０１ｂ、２０１ｃ、２０１ｄと複数の第２バイオリン奏者ワークステーション２０２ａ、２０２ｂ、２０２ｃ、２０２ｄにリンクされる主席第１バイオリン・コンピュータ１０２（すなわち、弦楽器セクションリーダー・コンピュータ、コンサートマスター・コンピュータ）の例を提供する。主席第１バイオリン・コンピュータ１０２は、指揮者コンピュータ１０１にもリンクされてもよい。図２０のように、主席第２バイオリン・コンピュータ１０３は、指揮者コンピュータ１０１、主席第１バイオリン・コンピュータ１０２、複数の第１バイオリン奏者ワークステーション２０１ａ、２０１ｂ、２０１ｃ、２０１ｄ、および、複数の第２バイオリン奏者ワークステーション２０２ａ、２０２ｂ、２０２ｃ、２０２ｄとリンクされてもよい。
【００２８】
図２１は、複数の打楽器奏者ワークステーションとリンクされる主席ティンパニ・コンピュータ１１８（すなわち、打楽器セクションリーダー・コンピュータ）を表す。複数の打楽器奏者ワークステーションは、ドラム奏者ワークステーション５０１、シンバル奏者ワークステーション５０２、カスタネット奏者ワークステーション５０３、ゴング奏者ワークステーション５０４、オーケストラベル奏者ワークステーション５０５、タンバリン奏者ワークステーション５０６、マラカス奏者ワークステーション５０７、ギロ奏者ワークステーション５０８、ティンパニ奏者ワークステーション５０９、木琴奏者ワークステーション５１０、鉄琴奏者ワークステーション５１１、マリンバ奏者ワークステーション５１２、マリンバ−木琴奏者ワークステーション５１３、チャイム奏者ワークステーション５１４、ピアノ奏者ワークステーション５１５、ハープシコード奏者ワークステーション５１６、オルガン奏者ワークステーション５１７を含む。
【００２９】
図２２は、トランペット奏者ワークステーション４０１、コルネット奏者ワークステーション４０２、トロンボーン奏者ワークステーション４０３、チューバ奏者ワークステーション４０４、コントラバスチューバ奏者ワークステーション４０５、ホルン奏者ワークステーション４０６を含む一つまたは複数の金管楽器奏者ワークステーションとリンクされる主席トランペット・コンピュータ１１２を例示する。図２３は、主席トロンボーン・コンピュータ１１３をトロンボーン奏者ワークステーション４０３とチューバ奏者ワークステーション４０４にリンクする例を示す。
【００３０】
図２４の好ましい実施形態において、複数のリードコンピュータは、指揮者コンピュータ１０１、ゲスト指揮者コンピュータ１２２、主席第１バイオリン・コンピュータ１０２（すなわち、弦楽器セクションリーダー・コンピュータ、コンサートマスター・コンピュータ）、補助第１バイオリン・コンピュータ６０２、主席第２バイオリン・コンピュータ１０３、補助主席第２バイオリン・コンピュータ６０３、主席チェロ・コンピュータ１０４、補助主席チェロ・コンピュータ６０４、主席コントラバス・コンピュータ１０５、補助コントラバス・コンピュータ６０５、主席ヴィオラ・コンピュータ１０６、補助主席ヴィオラ・コンピュータ６０６、主席フルート・コンピュータ１０７、補助フルート・コンピュータ６０７、主席オーボエ・コンピュータ１０８（すなわち、木管楽器セクションリーダー・コンピュータ）、補助主席オーボエ・コンピュータ６０８、主席クラリネット・コンピュータ１０９、補助主席クラリネット・コンピュータ６０９、主席バスーン・コンピュータ１１０、補助主席バスーン・コンピュータ６１０、主席ホルン・コンピュータ１１１、補助主席ホルン・コンピュータ６１１、主席トランペット・コンピュータ１１２（すなわち、金管楽器セクションリーダー・コンピュータ）、補助主席トランペット・コンピュータ６１２、主席トロンボーン・コンピュータ１１３（すなわち、低音金管楽器セクションリーダー・コンピュータ）、補助トロンボーン・コンピュータ６１３、主席チューバ・コンピュータ１１４、補助チューバ・コンピュータ６１４、主席ピアノ・コンピュータ１１５、補助主席ピアノ・コンピュータ６１５、主席ハープ・コンピュータ１１６、補助主席ハープ・コンピュータ６１６、主席ドラム・コンピュータ１１７、補助ドラム・コンピュータ６１７、主席ティンパニ・コンピュータ１１８（すなわち、打楽器セクションリーダー・コンピュータ）、補助主席ティンパニ・コンピュータ６１８を含む。
【００３１】
ユーザー（すなわち、音楽団体のリーダー、指揮者、ゲスト指揮者、主席第１バイオリン奏者、主席ティンパニ、主席クラリネット奏者）は、個々の奏者（すなわち、ヴィオラダガンバ奏者、ソプラノフルート奏者、テナーオーボエ奏者）の目線から、音楽団体を聞いてもよい。リードスピーカー１１０５、１１０６は、音楽団体の少なくとも１人の個々の奏者の音声を聞くために、リードコンピュータに接続している。
【００３２】
リードコンピュータディスプレイ画面１１０７は、液晶ディスプレイ（ＬＣＤ）、発光ダイオードディスプレイ（ＬＥＤ）、アクティブマトリックス液晶ディスプレイ（ＡＭＬＣＤ）、陰極線管（ＣＲＴ）、プラズマ・ディスプレイ・パネル（ＰＤＰ）、デジタル光処理ディスプレイ（ＤＬＰ）、テレビ画面、コンピュータ・モニター、携帯コンピュータ（ＨＨＣ）、パーソナル携帯情報機器（ＰＤＡ）、移動電話、タブレットＰＣ、電解放出ディスプレイ（ＦＥＤ）またはエレクトロ・ルミネッセント・ディスプレイ（ＥＬ）でもよい。リードコンピュータ・ディスプレイ画面１１０７は、選択したビデオ録画された個々の奏者の演奏、ビデオ録画された複数の奏者の演奏や選択したビデオ録画された全音楽団体の演奏を表示・再生するために、一つまたは複数の画像ウインドウを含んでもよい。リードコンピュータ・ディスプレイ画面１１０７は、リードコンピュータ・プロセッサ１１０１（すなわち、マイクロプロセッサ）に連結してもよい。
【００３３】
リードコンピュータ・ディスプレイ画面１１０７は、楽曲またはレパートリーを選んだり、ビデオ録画された少なくとも１人の個々の奏者の演奏や、ビデオ録画された少なくとも１人の音楽団体リーダーの演奏を選んだりするために、アイコン、ラジオボタン、メニュー、プルダウンスクリーンの少なくとも一つを表示してもよい。グラフィカル・ユーザ・インタフェースのようなリードコンピュータ入力装置１１０４を使って、音楽団体のリーダーは、楽曲またはレパートリーを選んでもよい。音楽団体のリーダーは、グラフィカル・ユーザ・インタフェースを用いて、音楽団体の個々の奏者または個々の奏者の組合せを選んでもよい。リードコンピュータは、リードコンピュータ・プロセッサ１１０１（すなわち、マイクロプロセッサ）、複数の奏者ワークステーションや、リードシンクロナイザ１１０８とインターフェース接続されてもよい。リードコンピュータ・プロセッサ１１０１は、楽曲の選択と、ビデオ録画された音楽団体の個々の奏者の演奏またはビデオ録画された音楽団体の個々の奏者の組合せの演奏の選択を処理してもよい。リードコンピュータ・プロセッサ１１０１（すなわち、マイクロプロセッサ）は、音楽団体の個々の奏者の選択されたビデオ録画演奏または音楽団体の個々の奏者の組合せの選択されたビデオ録画演奏を取り出してもよい。音楽団体の個々の奏者の演奏または個々の奏者の組合せの演奏は、ネットワーク９００を介してリードコンピュータに送られてもよい。
【００３４】
選択された個々の奏者につきビデオ録画された演奏の音声を、リードシンクロナイザ１１０８を用いて、重畳された演奏に対して重畳または同期してもよい。リードコンピュータは、選択された個々の奏者の重畳された演奏を再生してもよい。そして、音楽団体のリーダーは重畳された演奏を聞くことができ、選択された個々の奏者または個々の奏者の選択された組合せにより楽曲がどう影響を受けるかについて判断することができる。あるいは、個々の奏者の選択されたビデオ録画演奏、複数の奏者の選択されたビデオ録画演奏、音楽団体全体の選択されたビデオ録画演奏を、リードコンピュータ・ディスプレイ画面１１０７の一つまたは複数の画像ウインドウ上に表示、再生してもよい。
【００３５】
例えば、指揮者はリードコンピュータ上でリードコンピュータ入力装置１１０４を用いて、弦楽器奏者などの個々の奏者（すなわち、個々の奏者）を選択し、音楽団体全体のビデオ録画された記録とともに弦楽器奏者の演奏を聞くことで、楽曲がどのように弦楽器奏者に影響を受けるかについて判断したり、弦楽器奏者にリハーサルの間に異なるテンポで演奏するように命じたりすることができる。音楽団体が指揮者を有さない場合、主席第１バイオリン奏者（すなわち、コンサートマスター、弦楽器セクションリーダー）は、主席第１バイオリン・コンピュータ（すなわち、コンサートマスター・コンピュータ、弦楽器セクションリーダー・コンピュータ）上でリードコンピュータ入力装置を用いて弦楽器奏者を選択し、リハーサルの間に楽曲がどのように弦楽器奏者に影響を受けるかについて判断してもよい。弦楽器奏者は、バイオリン奏者（すなわち、アコースティックバイオリン奏者、または電子バイオリン奏者）、ヴィオラ奏者、ヴィオル奏者（すなわち、ヴィオラダガンバ奏者、ヴィオラダモーレ奏者、ヴィオラダブラッチョ奏者）、チェロ奏者（すなわち、バイオリンチェロ奏者、チェリスト）、コントラバス奏者、リュート奏者（すなわち、リューテニスト、ギタリスト）、ツィター奏者（すなわち、ツィタリスト）、ハープ奏者（すなわち、ハーピスト）を含むが、これらに限定されるものではない。
【００３６】
音楽団体のリーダーは、リードコンピュータ上でリードコンピュータ入力装置１１０４を用いて、木管楽器奏者などの個々の奏者を選択し、個々の奏者のビデオ録画演奏を再生してもよい。木管楽器奏者は、ピッコロ奏者、フルート奏者（すなわち、フルーティスト、横笛奏者、ピッコロフルート奏者、トレブルフルート奏者、ソプラノフルート奏者、アルトフルート奏者、テナーフルート奏者、バスフルート奏者、コントラアルトフルート奏者、コントラバスフルート奏者、サブコントラバスフルート奏者、ダブルコントラアルトフルート奏者、ダブルコントラバス奏者、フィプルフルート奏者、ウェスタンコンサート・フルート奏者またはベーム・フルートのようなトランスヴェルスフルート奏者、ハイパーバスフルート奏者）、オーボエ奏者（すなわち、ピッコロオーボエ奏者、テナーオーボエ奏者、オーボエダモーレ奏者、バスオーボエ奏者、バリトンオーボエ奏者）、コルノアングレ奏者、イングリッシュホルン奏者、クラリネット奏者（すなわち、ソプラニーノクラリネット奏者、ソプラノクラリネット奏者、アルトクラリネット奏者、コントラアルトクラリネット奏者、コントラバスクラリネット奏者、オクトコントラアルトクラリネット奏者、オクトコントラバスクラリネット奏者、バスクラリネット奏者、トリプルクラリネット奏者）、バセットホルン奏者、バスーン奏者（すなわち、バスーニスト、コントラバスーン奏者）、サクソフォン奏者（すなわち、ピッコロサクソフォン奏者、ソプラニーノサクソフォン奏者、ソプラノサクソフォン奏者、メゾソプラノサクソフォン奏者、アルトサクソフォン奏者、Ｃメロディー・サクソフォン奏者、Ｅフラットサクソフォン奏者、テナーバスサクソフォン奏者、バリトンサクソフォン奏者、バスサクソフォン奏者、コントラバスサクソフォン奏者、オーロクロームサクソフォン奏者）を含むが、これらに限定されるものではない。
【００３７】
例えば、指揮者は指揮者コンピュータ１０１上でリードコンピュータ入力装置１１０４を用いてソプラノクラリネット奏者を選択し、テンポを聞いてもよい。そして、指揮者はソプラノクラリネット奏者にテンポを増減するように命じてもよい。更に別の例では、主席クラリネットは主席クラリネット・コンピュータ１０９上のリードコンピュータ入力装置１１０４を用いてバスクラリネット奏者を選択し、バスクラリネット奏者の演奏を聴き、楽曲の調子がどのようにバスクラリネット奏者に影響を受けるかについて判断してもよい。
【００３８】
任意により、音楽団体のリーダーはリードコンピュータ上でリードコンピュータ入力装置１１０４を用いて、打楽器奏者などの個々の奏者を選択し、個々の奏者のビデオ録画演奏を再生してもよい。打楽器奏者は、ドラム奏者（すなわち、ドラマー、スネアドラム奏者、テナードラム奏者、バスドラム奏者）、シンバル奏者（すなわち、シンバリスト）、カスタネット奏者、オーケストラベル奏者（すなわち、グロッケンシュピールベル奏者、ベルリラ奏者）、トライアングル奏者、ウッドブロック奏者、タンバリン奏者、マラカス奏者、ギロ奏者、ティンパニ奏者、木琴奏者、鉄琴奏者、マリンバ奏者、マリンバ−木琴奏者、チャイム奏者、ピアニスト、ハープシコード奏者、オルガン奏者を含むが、これらに限定されるものではない。例えば、打楽器セクションリーダーは、リードコンピュータ上でリードコンピュータ入力装置１１０４を用いてシンバル奏者を選択してもよい。打楽器セクションリーダーはビデオ録画演奏においてシンバル奏者の演奏を聞き、楽曲がどのようにシンバル奏者に影響を受けるかを判断したり、シンバル奏者の振る舞いを注視したりすることができる。
【００３９】
別の選択肢として、音楽団体のリーダーはリードコンピュータ上でリードコンピュータ入力装置１１０４を用いて、金管楽器奏者などの個々の奏者を選択することができる。そして、リードコンピュータは、リードコンピュータスピーカー１１０５、１１０６によって、個々の奏者の音声演奏を再生してもよい。金管楽器奏者は、トランペット奏者（すなわち、Ｂフラットトランペット奏者、Ｃトランペット奏者、ピッコロトランペット奏者、バストランペット奏者、スライドトランペット奏者）、コルネット奏者（すなわち、Ｂフラットコルネット奏者、Ｅフラットコルネット奏者）、トロンボーン奏者（すなわち、ピッコロトロンボーン奏者、ソプラノトロンボーン奏者、ソプラニーノトロンボーン奏者、アルトトロンボーン奏者、テナートロンボーン奏者、バストロンボーン奏者、コントラバストロンボーン奏者）、チューバ奏者（すなわち、ユーフォニューム奏者または小フレンチチューバのようなテナーチューバ奏者、Ｃチューバ奏者、Ｂフラットチューバ奏者、Ｆチューバ奏者またはＥフラットチューバ奏者のようなバスチューバ奏者、ＣＣコントラバスチューバ奏者またはＢＢフラットコントラバスチューバ奏者のようなコントラバスチューバ）、ホルン奏者（すなわち、フレンチホルン奏者、バリトン奏者、フリューゲルホルン奏者）を含むが、これらに限定されるものではない。
【００４０】
音楽団体のリーダーは、リードコンピュータ上でリードコンピュータ入力装置１１０４を用いて、複数の弦楽器奏者、複数の木管楽器奏者、複数の打楽器奏者、複数の金管楽器奏者、または、それらの組合せを選択してもよい。例えば、金管楽器セクションリーダーは主席トランペット・コンピュータ１１２上でリードコンピュータ入力装置１１０４を用いてチューバ奏者とトロンボーン奏者を選択し、楽曲がチューバ奏者とトロンボーン奏者にどのように影響を受けるかを聞いてもよい。そして、音楽団体のリーダーは、チューバ奏者のビデオ録画演奏が複数の金管楽器奏者とうまく溶け合わないと判断してもよい。このように、音楽団体のリーダーが、楽曲に対する個々の奏者の影響を聞くために、音楽団体全体が集められる必要はない。
【００４１】
音楽団体のリーダーは、入力装置１１０４を用いて、個々の奏者、複数の弦楽器奏者、複数の木管楽器奏者、複数の打楽器奏者、複数の金管楽器奏者の少なくとも一人、または、それらの組合せのうちの少なくとも１人を選択してもよい。個々の奏者、複数の弦楽器奏者、複数の木管楽器奏者、複数の打楽器奏者、複数の金管楽器奏者、または、それらの組合せの演奏は、ネットワークを通じてリードコンピュータに送られてもよい。そして、個々の奏者のビデオ録画演奏が再生される。そして、音楽団体のリーダーは、選択された個々の奏者の視点から、楽曲を聞いてもよい。
【００４２】
別の局面として、図２５は本発明のシステムの簡略化された例を示す。システムは、一つまたは複数のリードコンピュータ１００（すなわち、弦楽器セクションリーダー・コンピュータ、コンサートマスター・コンピュータ）と、一つまたは複数の奏者ワークステーション２００（すなわち、第１バイオリン奏者ワークステーション、第２バイオリン奏者ワークステーション、ヴィオラ奏者ワークステーション）を含む。システムはまた、音声信号を取り込み、音声信号を送信可能な形に変換するための、一つまたは複数の音声受信機２５０１と送信機２５０２を含む。少なくとも各一つの音声受信機２５０１と送信機２５０２は、各奏者と関連付けられる。システムは、映像を取り込み、映像を送信可能な形に変えるための、一つまたは複数のビデオ映像受信機２５０３と送信機２５０４を含む。少なくとも各一つのビデオ映像受信機２５０３と送信機２５０４は、各奏者と関連付けられる。システムは、音声およびビデオ映像の受信機と送信機からの信号を受け取り、処理し、バックグラウンドにおける他の奏者による音の歪をフィルターするための、記憶装置２５０５とプロセッサ２５０６を含む。さらに、システムは各々の音声受信機の出力のための一つまたは複数の出力装置２５０９（すなわち、スピーカー）と、各々のビデオ映像受信機の出力のための一つまたは複数の出力装置２５１０（すなわち、表示装置）を含む。
【図１】
2014529384.tif 000003
【図２】
2014529384.tif 000004
【図３】
2014529384.tif 000005
【図４】
2014529384.tif 000006
【図５】
2014529384.tif 000007
【図５Ａ】
2014529384.tif 000008
【図６】
2014529384.tif 000009
【図７】
2014529384.tif 000010
【図８】
2014529384.tif 000011
【図９】
2014529384.tif 000012
【図１０】
2014529384.tif 000013
【図１１】
2014529384.tif 000014
【図１２】
2014529384.tif 000015
【図１３】
2014529384.tif 000016
【図１４】
2014529384.tif 000017
【図１５】
2014529384.tif 000018
【図１６】
2014529384.tif 000019
【図１７】
2014529384.tif 000020
【図１８】
2014529384.tif 000021
【図１９】
2014529384.tif 000022
【図２０】
2014529384.tif 000023
【図２１】
2014529384.tif 000024
【図２２】
2014529384.tif 000025
【図２３】
2014529384.tif 000026
【図２４】
2014529384.tif 000027
【図２５】
2014529384.tif 000028
【国際調査報告】
2014529384.tif 000029